(57)【要約】【課題】広告文をはじめとする描写文生成のための描写文生成装置を提供する。【解決手段】記憶部から、文生成において核となる語を選択し、確定することによって、複数の文例とこれに対応する文構成が提示される。ユーザーは、これらの文例から適切な文例を選択する。文構成は、文例中の置き換え可能な語に対して、コード表示されており、このコードをキーとして、タイプの異なる複数の置き換え語を呼び出すことができる。本発明では、さらに置き換えの難易度を設定することで、意外性のある描写文の生成も可能である。本装置では、表現を多様化するために、形容要素の付加機能及びユーザーが固有名詞と専門用語のデータベースを組めるよう、入力フォームとテーブルも用意している。【選択図】図１
2007115153.tif 000002
【特許請求の範囲】
【請求項１】
記憶部からタイプの異なる複数の置き換え語（複数の類語群）を提供することを特徴とした描写文生成装置。
【請求項２】
置き換えの難易度を設定できる部分を備えたことを特徴とした描写文生成装置。
【発明の詳細な説明】
【技術分野】
【０００１】
本発明は、パソコンや電子辞書をはじめとする携帯端末機などの分野において利用することのできる技術である。
【背景技術】
【０００２】
文テンプレートと単語辞書を利用した文生成装置としては、特開平７−１７５４９６号及び特開平１１−５３３５５号が知られている。
【０００３】
また、単語の置き換え機能としては、特開平９−２４５０３８号において提供されている。
【特許文献１】特開平７−１７５４９６号公報
【特許文献２】特開平１１−５３３５５号公報
【特許文献３】特開平９−２４５０３８号公報
【発明の開示】
【発明が解決しようとする課題】
【０００４】
文を作成するにあたっては、文型と語についての記憶が必要である。口語文と異なり描写文では、適切な文をつくるには、文型と語に関するさらに豊富な知識が要求される。そのために特定の個人（作家や文筆家など）を除き、個人差はあるが、描写文作成という作業は多くの時間と労力を要する。本発明は、文は内容を伝えるためのツールであるという視点から、ひろく一般に描写文の作成を容易にすることを目的とする。すなわち、商業的には、広告文を作成するために、個人レベルでは、文芸をはじめとする各種の文を作成するために利便性を提供することを課題とする。
【０００５】
特開平７−１７５４９６号及び特開平１１−５３３５５号のふたつの技術が、音声認識や対話処理に利用することを目的とした文生成装置であるので、描写文に適した装置とは言い難い。
【０００６】
国語辞書は、文を読むにあたっての意味の不明を調べるには適当であるが、文を作成するには、その配列（五十音順）では不都合である。類語辞書はこの要求に応えているが、そこに提示されている文例は、そのままの形ですぐに使用できるとは限らない。
【０００７】
また、特開平９−２４５０３８号の文生成装置は、ユーザーが作成している文中の語に対して、概念的に類似する語を提示する装置と考えられる。そのために、語の置き換えが単一的になってしまうという問題点がある。
【課題を解決するための手段】
【０００８】
本発明は広告文をはじめとした描写文の生成を目的とするため、文例データベースもひろく使われている描写文を集成した。また、ユーザーが使用する文例であることを考慮し、文例には語の置き換え機能をもたせているが、単に類似語の置き換えにとどまらず、文中における語の置き換え可能性に着目した結果、タイプの異なる複数の類似語群を提示することが可能である。さらに、広告文などでは意外性のある文が読み手に対して訴求力をもつということで好まれていることに対応して、例えば、「青い空に白い雲が浮かんでいた。」という文例に対しては、「空」の置き換え語として「海」を配置することで、意外性のある表現となり、本発明ではこの「海」という語も置き換えの候補としてあげることができることを特徴とする。
【発明の効果】
【０００９】
本発明の描写文生成装置により、商業的にはマーケティングを支援し、また、個人的には才能を文形式で表出することに貢献することとなる。
【発明を実施するための最良の形態】
【００１０】
本発明は、時間と労力の軽減という点からは、紙媒体ではなく電子媒体で実施することが妥当である。
【実施例】
【００１１】
主体語と従属語について。システム構築の必要性から主体語と従属語という言葉をつくった。例えば、「青い空に白い雲が浮かんでいた。」という文例では、「空」と「雲」が核となる。文をつくるにあたっては、まず、「空」と「雲」を想起（イメージ）し、このふたつの言葉の状態として、「青い」「白い」「浮かんでいた」という言葉が導かれる。本発明では、「空」と「雲」を主体語、「青い」「白い」「浮かんでいた」を従属語とする。
【００１２】
語テーブルについて。描写文によくでてくる語の集まりで、大分類、中分類、小分類、小小分類の構造のもとに格納されている。各語には、名詞・連体詞・連用詞・動詞の品詞区分が表示され、また、「5w1h区分」（本発明では、whenとwhereのみ適用）が、該当する場合には、その語の属性として表記される（例えば、空はwhenと表記される）。
【００１３】
【表１】
2007115153.tif 000003
語テーブルに格納される語のひとつひとつには９桁の語コードが付される。
【００１４】
【表２】
2007115153.tif 000004
ユーザーは「文生成フォーム」よりカテゴリー（分類）にしたがって、主体語をひとつ選択し、確定する。
あるいは、ユーザーにとって、主体語がすでに確定している場合は、後述する文例及び文構成を直接呼び出すことになる。
【００１５】
文例テーブルについて。描写文によくでてくる文例の集まりで、語コードをキーとして、複数の文例を文例テーブルから呼び出す。文例に対応した、「文構成」も同時に呼び出されるが、これは、文例中の置き換え可能な語について、コード（置換コード）で表記したものである。  
【００１６】
純主体語について。主体語のうち、形容要素を含まない語を純主体語と定義する。例えば、「夏空」は「夏」という形容要素を含むので純主体語にはならず、「空」と「夏」の各語が純主体語に該当する。文例は、原則として純主体語に帰属させ、形容要素を含む語については、その語に固有の文例を紐づける。
【００１７】
ユーザーは文生成フォームより文例を選択し、確定する。
【００１８】
置換テーブルについて。文例中の置き換え可能な語については、文構成で置換コードとして表記されている。置換テーブルでは、置換コードに対応させて、置き換え可能な語を語コードの範囲（最小値と最大値の組み合わせ）として、格納している。語テーブルでは、語の属性によって類語群が形成されているため、範囲の指定が可能であり、また、置換コードと語コードの範囲について、一対多の関係をもたせることにより、タイプの異なる置き換え語を表示させることができる。例えば、「空」を形容する「青い」の置き換え語は、青系統の言葉に限定されず、「広い」という言葉の類語も表示することが可能である。置換コードは９桁で表示される。
【００１９】
【表３】
2007115153.tif 000005
ユーザーは、文例中の置き換えを要する語を選択する。そして、文構成に表記されている置換コードを所定のフォームに入力すると、複数の語コード範囲と、範囲中の純主体語が例として表示される。ユーザーは複数の類語群から適切な一語を選択することができる。
【００２０】
上記の置換機能に加えて、本発明では、置き換えの難しさ（不可能性）に着目する。すなわち、文例の語のひとつ又はいくつかについて、文の意味からは異質と思われる語を提示することで、文に意外性をもたせようと試みる。そのための装置として、置換難易度を設定している。これは、前項で選択した置換コードに対応する各範囲の語が属するカテゴリー（分類）におさめられた他の語を表示させるもので、例えば、難易度３は分類３に属する他の語を、難易度２は分類２に属する他の語を表示させようとするものである。
【００２１】
【表４】
2007115153.tif 000006
ただし、該当するすべての語を表示させるのではなく、ランダムに２０語ないし３０語をその中からピックアップさせるにとどめる。このように、置き換えを想定していない語を置換することで文表現に意外性をもたせることが可能となる。
【００２２】
形容要素の付加について。語テーブルには、語の属性によって品詞区分と5w1h区分がなされている。このうち、連体詞・連用詞・when・whereの属性をもつ語については、文例に形容要素として付加することができる。このことによって、文例に広がりをもたせることが可能となる。
【００２３】
文生成フォームの連体詞・連用詞・when・whereの各頁から、それぞれの属性をもつ語を選択する。
【００２４】
固有名詞・専門用語について。あるユーザーにとって文の作成に必要な固有名詞・専門用語も別のユーザーにとっては、不要な場合も考えられる。したがって、語テーブルには描写文に頻出する語を格納しているが、固有名詞と専門用語については、データを用意しないことが妥当と思われ、ユーザーが独自のデータベースを構築することが望ましい。  
【００２５】
固有 専門フォームと固有 専門テーブルについて。固有 専門フォームは、ユーザーが固有名詞と専門用語を入力するためのフォーマットであるが、文生成にあたって、データを呼び出す利便性を考慮し、語テーブルのカテゴリーを使用する。入力されたデータは固有専門テーブルに記憶される。
【産業上の利用可能性】
【００２６】
本発明は、時間と労力の軽減を考えるならば、電子媒体が望ましいが、電子機器に馴染まない人のために、描写文生成装置のデータとシステムを紙媒体に移すことにより、例えば、文例辞書を提供することができる。
【図面の簡単な説明】
【００２７】
【図１】文生成の簡単なフロー図
【図２】文生成のフロー図
【図３】固有名詞・専門用語のフロー図
【図１】
2007115153.tif 000007
【図２】
2007115153.tif 000008
【図３】
2007115153.tif 000009